(57)【要約】【課題】電力供給遮断中に、画像読取デバイスに原稿がセットされた時点で、実行される機能を予測して、前記画像読取デバイス以外に必要なデバイスを選択し、選択されたデバイスへ事前に電力を供給する。【解決手段】節電中において、原稿送り機構２３８Ａに設けられた複数の原稿検出センサ３６が接続された検出センサ制御基板３８を、常時通電状態とし、この原稿検出センサ３６により原稿を検出することで、何らかの処理機能の実行の意思を確認すると共に、置かれた原稿の向きによって、処理機能を特定し、必要最小限のデバイスに対して節電復帰指示を行うようにした。【選択図】図４
2011188438.tif 000002
【特許請求の範囲】
【請求項１】
少なくとも画像読取デバイス、画像形成デバイス、ファクシミリ通信デバイスを含む複数のデバイスが制御対象とされ、当該複数のデバイス毎に、選択的に電力を供給又は供給遮断することで部分節電を制御する部分節電制御手段と、
常時電力が供給され、前記画像読取デバイスに原稿が置かれたか否か、並びに、前記原稿が置かれた場合の当該原稿の向き又はサイズの少なくとも一方を検出する検出手段と、
前記検出手段での検出結果に基づいて、前記デバイス単独或いは複数のデバイスを組み合わせることで実行される処理機能を特定する特定手段と、
前記特定手段で特定された処理機能に必要なデバイスであり、かつ前記部分節電制御手段で電力を供給遮断されているデバイスに対して、前記部分節電制御手段へ電力を供給するように指示する指示手段と、
を有する電力供給制御装置。
【請求項２】
前記特定手段が、ユーザー毎の習慣に基づいて、事前に関連付けられた前記検出手段の検出結果と実行される処理機能との対照情報を備えている請求項１記載の電力供給制御装置。
【請求項３】
前記対象情報は、ユーザー使用状況履歴に応じて学習される請求項２記載の電力供給制御装置。
【請求項４】
前記検出手段は、前記画像読取デバイスに電力が常時供給され、原稿を自動的に送り込む原稿自動送り機構に設けられる請求項１〜請求項３の何れか１項記載の電力供給制御装置。
【請求項５】
前記請求項１〜請求項４の何れか１項記載の電力供給制御装置が設けられた画像形成装置。
【請求項６】
コンピュータを、前記請求項１〜請求項４の何れか１項記載のとして実行させるプログラム。
【発明の詳細な説明】
【技術分野】
【０００１】
本発明は、電力供給制御装置、画像処理装置、電力供給制御プログラムに関する。
【背景技術】
【０００２】
特許文献１には、変化条件、使用者条件、実行条件に基づいて、利用される可能性が高い機能が抽出され、その機能実行のために動作されるリソースを前もって電源を供給して予備動作させることが開示されている。
【先行技術文献】
【特許文献】
【０００３】
【特許文献１】特開２００８−１６０５２４公報
【発明の概要】
【発明が解決しようとする課題】
【０００４】
本発明は、電力供給遮断中に、画像読取デバイスに原稿がセットされた時点で、実行される機能を予測して、前記画像読取デバイス以外に必要なデバイスを選択し、選択されたデバイスへ事前に電力を供給することができる電力供給制御装置、画像処理装置、電力供給制御プログラムを得ることが目的である。
【課題を解決するための手段】
【０００５】
請求項１に記載の発明は、少なくとも画像読取デバイス、画像形成デバイス、ファクシミリ通信デバイスを含む複数のデバイスが制御対象とされ、当該複数のデバイス毎に、選択的に電力を供給又は供給遮断することで部分節電を制御する部分節電制御手段と、常時電力が供給され、前記画像読取デバイスに原稿が置かれたか否か、並びに、前記原稿が置かれた場合の当該原稿の向き又はサイズの少なくとも一方を検出する検出手段と、前記検出手段での検出結果に基づいて、前記デバイス単独或いは複数のデバイスを組み合わせることで実行される処理機能を特定する特定手段と、前記特定手段で特定された処理機能に必要なデバイスであり、かつ前記部分節電制御手段で電力を供給遮断されているデバイスに対して、前記部分節電制御手段へ電力を供給するように指示する指示手段と、を有している。
【０００６】
請求項２に記載の発明は、前記請求項１に記載の発明において、前記特定手段が、ユーザー毎の習慣に基づいて、事前に関連付けられた前記検出手段の検出結果と実行される処理機能との対照情報を備えている。
【０００７】
請求項３に記載の発明は、前記請求項２に記載の発明において、前記対象情報は、ユーザー使用状況履歴に応じて学習される。
【０００８】
請求項４に記載の発明は、前記請求項１乃至請求項３の何れか１項記載の発明において、前記検出手段は、前記画像読取デバイスに電力が常時供給され、原稿を自動的に送り込む原稿自動送り機構に設けられる。
【０００９】
請求項５に記載の発明は、前記請求項１乃至請求項４の何れか１項記載の発明において、前記請求項１〜請求項４の何れか１項記載の電力供給制御装置が設けられた画像形成装置である。
【００１０】
請求項６に記載の発明は、コンピュータを、前記請求項１〜請求項４の何れか１項記載のとして実行させるプログラムである。
【発明の効果】
【００１１】
請求項１、請求項５、請求項６に記載の発明によれば、電力供給遮断中に、画像読取デバイスに原稿がセットされた時点で、実行される機能を予測して、前記画像読取デバイス以外に必要なデバイスを選択し、選択されたデバイスへ事前に電力を供給することができる。
【００１２】
請求項２記載の発明によれば、本構成を有しない場合に比べて、迅速かつ的確に実行される機能を特定することができる。
【００１３】
請求項３記載の発明によれば、本構成を有しない場合に比べて、実行される機能を特定するときの誤差を徐々に軽減することができる。
【００１４】
請求項４記載の発明によれば、部分節電制御に関わらず、検出手段への電力供給を確実にすることができる。
【図面の簡単な説明】
【００１５】
【図１】本実施の形態に係る画像処理装置の概略図である。
【図２】本実施の形態に係るメインコントローラと電源装置との概略構成図である。
【図３】本実施の形態に係る原稿送り機構の概略構成図である。
【図４】本実施の形態に係る電源供給制御回路における、原稿送り機構の原稿検出センサを用いた処理機能判定制御のための機能ブロック図である。
【図５】本実施の形態に係るサイズ・向き−処理機能テーブル記憶部に記憶されたサイズ・向き−処理機能テーブルの概念図である。
【図６】本実施の形態に係る電源供給制御回路における、原稿送り機構の原稿検出センサを用いた処理機能判定制御の流れを示すフローチャートである。
【発明を実施するための形態】
【００１６】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１７】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１８】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１９】
画像読取部２３８は、原稿を置く原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２０】
また、画像読取装置２３８には、前記原稿台に置かれた原稿を挟むように蓋体が設けられている。本実施の形態の蓋体は、主として複数枚に亘る原稿を原稿台へ順次送り出すための原稿送り機構を兼ねた構造となっている（以下、「原稿送り機構２３８Ａ」という。
【００２１】
図３に示される如く、原稿送り機構２３８Ａは、蓋体として機能するベース部２４に搬送機構部が設けられている。また、このベース部２４の上部は、２段構造となっており、上段面が原稿を載せて読み取りの準備をする受け台２６としての役目を有している。
【００２２】
ベース部２４の図３の左端は、原稿反転部２８が設けられ、前記搬送機構部の駆動により、原稿が受け台２６から１枚ずつ取り出され、ローラ３０の周面に沿って反転して、前記２段構造の下段面へ送り出されるようになっている。すなわち、下段面は、原稿受取台３２としての役目を有している。
【００２３】
また、反転部２８には、前記走査駆動系及び光電変換素子とは別に、反転部２８で反転された原稿の搬送を利用して、原稿を読み取るライン状の光電変換素子３４が設けられている。
【００２４】
この原稿送り機構２３８Ａの受け台２６には、複数の原稿検出センサ３６が適宜個所に取り付けられている。なお、原稿検出センサ３６は、検出センサ制御基板３８（図２、図４参照）に接続されている。すなわち、原稿のサイズは、所謂ＪＩＳ規格であることが多く、このＪＩＳ規格に合わせて原稿が置かれたとき（ガイドによって必然的に位置決めされる）の周縁に相当する位置に、予め原稿検出センサ３６を配置する。
【００２５】
例えば、ＪＩＳ規格のＡ４サイズの原稿は、縦２９７mm、横２１０mmであるため、このサイズに囲まれる四角枠の周縁に原稿検出センサ３６を配置する。このＡ４サイズよりも小さいサイズ、及びＡ４サイズよりも大きいサイズも同様に周縁に原稿検出センサ３６を配置することで、原稿を検出する原稿検出センサ３６により、置かれた原稿のサイズが認識される。
【００２６】
さらに、原稿の向き（搬送方向先頭側が短辺の場合はＳＥＦ(Short Edge Feed）、搬送方向先頭側が長辺の場合はＬＥＦ(Long Edge Feed）という）によってそれぞれ原稿検出センサ３６を配置しておけば、置かれた原稿の向きも認識される。
【００２７】
なお、原稿検出センサ３６の配置パターンは周知であり、かつ様々なパターンがあるため、ここでの配置パターンの説明は省略する。
【００２８】
また、原稿検出センサ３６は、非接触型センサ（光電変換センサ等）、接触型センサ（リミットスイッチ等）に関わらず、適用可能である。
【００２９】
図２は、前記メインコントローラ２００によって制御されるデバイス、並びにメインコントローラ２００、並びに各デバイスへ電源を供給するための電源装置２０２の電源ラインを主体とした概略構成図である。
【００３０】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００３１】
Ｉ／Ｏ２１０には、タイマ回路２２０、通信回線Ｉ／Ｆ２２２が接続されている。さらに、Ｉ／Ｏ２１０には、画像読取制御部２２４、画像形成制御部２２６、画像複写制御部２２８、ファクシミリ受信制御部２３０、ファクシミリ送信制御部２３２が接続され、機能別に独立して制御するようになっている。
【００３２】
画像読取制御部２２４、画像形成制御部２２６、画像複写制御部２２８、ファクシミリ受信制御部２３０、ファクシミリ送信制御部２３２は、デバイス選択Ｉ／Ｆ２３４に接続されている。
【００３３】
デバイス選択Ｉ／Ｆ２３４は、ファクシミリ通信制御回路（モデム）２３６、画像読取部２３８、画像形成部２４０の各デバイスに接続され、前記画像読取制御部２２４、画像形成制御部２２６、画像複写制御部２２８、ファクシミリ受信制御部２３０、ファクシミリ送信制御部２３２における制御動作の実行に基づき、選択されるようになっている。
【００３４】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００３５】
メインコントローラ２００及び各デバイス（ファクシミリ通信制御回路２３６、画像読取部２３８、画像形成部２４０）は、電源装置２０２から電源が供給される（図２の鎖線参照）。なお、図２では、電源線を１本の点線で示しているが、実際には２本〜３本の配線である。
【００３６】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００３７】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００３８】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００３９】
また、第２の電源部２５０は、高電圧電源生成部（ＨＶＰＳ）２５０Ｈと低電圧電源生成部（ＬＶＰＳ）２５０Ｌを備えている。高電圧電源生成部（ＨＶＰＳ）２５０Ｈは主として画像形成部２４０の帯電部、現像部、転写部等で使用される電源である。
【００４０】
第２の電源部２５０の高電圧電源生成部（ＨＶＰＳ）２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００４１】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００４２】
画像形成機能電源供給部２６０は、高電圧電源生成部（ＨＶＰＳ）２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００４３】
画像複写機能電源供給部２６２は、高電圧電源生成部（ＨＶＰＳ）２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００４４】
ファクシミリ受信機能電源供給部２６４は、高電圧電源生成部（ＨＶＰＳ）２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００４５】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００４６】
前記第２のサブ電源スイッチ２６８、第３のサブ電源スイッチ２７０、第４のサブ電源スイッチ２７２、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００４７】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００４８】
ここで、本実施の形態では、部分節電中（全デバイスが節電中も含む）において、画像読取部２３８の原稿送り機構２３８Ａに原稿が置かれた場合、ユーザーは、何らかの処理機能を実行する前兆であると予測される。
【００４９】
ところが、部分節電中で、画像読取部２３８が節電モードに入っている場合には、現状では、原稿送り機構２３８Ａにも電力は供給されておらず、原稿が置かれたことを認識することができない。このため、別途、節電復帰指示を実行する必要があった。
【００５０】
そこで、本実施の形態では、節電中において、原稿送り機構２３８Ａに設けられた複数の原稿検出センサ３６が接続された検出センサ制御基板３８（図２、図４参照）を、常時通電状態とし、この原稿検出センサ３６により原稿を検出することで、何らかの処理機能の実行の意思を確認すると共に、置かれた原稿の向きによって、処理機能を特定し、必要最小限のデバイスに対して節電復帰指示を行うようにした。
【００５１】
すなわち、図２に示されるごとく、前記原稿送り機構２３８Ａにおける、原稿検出センサ３６が接続された検出センサ制御基板３８は、画像読取部２３８が受ける電源供給ラインとは別に、直接、電源供給制御回路２５２に接続されている。このため、前記第１のサブ電源スイッチ（ＳＷ−１）、第２のサブ電源スイッチ（ＳＷ−２）、第４のサブ電源スイッチ（ＳＷ−４）、第６のサブ電源スイッチ（ＳＷ−６）がオフ状態であっても、検出センサ制御基板３８は通電状態にあり、各原稿検出センサ３６は、非節電状態となる。
【００５２】
図４は、電源供給制御回路における、原稿送り機構の原稿検出センサを用いた処理機能判定制御のための機能ブロック図である。
【００５３】
前記原稿送り機構２３８Ａの検出センサ制御基板３８は、通電部４０及びセンサ信号受付部４２に接続されている。このため、検出センサ制御基板３８には、通電部４０から常に電力が供給される。また、原稿検出センサ３６からの信号は、通常のルートである画像読取部２３８を制御する画像読取制御部２２４へ送出する信号線４４とは別に、センサ信号受付部４２へ送出されるようになっている。
【００５４】
センサ信号受付部４２は、サイズ・向き判別部４６に接続されており、受け付けたセンサ信号情報が送出されるようになっている。サイズ・向き判別部４６では、センサ信号情報に基づいて、原稿のサイズを判別し、かつ、どのような向き（ＳＥＦ、ＬＥＦ)で置かれたかを判別し、その判別結果を、処理機能特定部４８へ送出する。
【００５５】
処理機能判別部４８には、サイズ・向き−処理機能テーブル記憶部５０が接続されている。サイズ・向き−処理機能テーブル記憶部５０には、図５に示すサイズ・向き−処理機能テーブル５０Ａが記憶されている。
【００５６】
このサイズ・向き−処理機能テーブル５０Ａでは、サイズが規格内が規格外か、向きがＳＥＦかＬＥＦかによって、処理機能を特定している。この特定の根拠は、ユーザーによって異なる。このため、サイズ・向き−処理機能テーブル記憶部５０には、テーブル設定変更部５１が接続され、ＵＩ２１６（図２参照）からの操作によって、対照関係を変更可能としている。
【００５７】
前記処理機能特定部４８により特定した処理機能情報は、電源供給先設定部５２に送出されるようになっている。この電源供給先設定部５２では、前記処理機能情報に基づいて、電源供給先を設定する。電源供給先設定部５２は、電源供給信号出力部５４に接続されている。電源供給信号出力部５４では、当該設定された電源供給先に対応するサブ電源スイッチ（ＳＷ−１〜ＳＷ−６）に対して、電源供給信号を出力する。
【００５８】
以下に本実施の形態の作用を、図６のフローチャートに従い説明する。
【００５９】
図６は、電源供給制御回路における、原稿送り機構の原稿検出センサを用いた処理機能判定制御ルーチンである。
【００６０】
ステップ１００では、部分節電中か否かが判断され、否定判定された場合は各デバイスに電力が供給されている状態であるため、このルーチンは終了する。
【００６１】
ステップ１００で肯定判定された場合は、ステップ１０２へ移行して画像読取部２３８は節電中か否かが判断され、否定判定された場合は原稿が置かれたことが通常のルート（図４の信号線４４による信号の流れ）で認識されるため、このルーチンは終了する。
【００６２】
ステップ１０２で肯定判定された場合は、ステップ１０４へ移行して原稿送り機構２３８Ａに原稿がセットされたか否かが判断される。これは、何れかの原稿検出センサが感知することで判定される。このステップ１０４で否定判定された場合は、ユーザーが原稿を用いた処理機能を実行する意思がないと判断し、このルーチンは終了する。
【００６３】
ステップ１０４で肯定判定された場合は、ステップ１０６へ移行して原稿が置かれた向き、サイズを認識し、ステップ１０８へ移行する。
【００６４】
ステップ１０８では、サイズ・向き−処理機能テーブル記憶部５０に記憶されたサイズ・向き−処理機能テーブル５０Ａ（図５参照）に基づいて、認識した向き・サイズ（特に、サイズ）は、処理機能を特定可能か否かが判断する。
【００６５】
このステップ１０８で否定判定された場合は、規格外のサイズであると判断して、ステップ１１０へ移行し、全ての処理機能（原稿読取機能、画像形成機能、画像複写機能、ファクシミリ送受信機能）を電源供給対象として特定し、ステップ１１８へ移行する。
【００６６】
また、ステップ１０８で肯定判定された場合は、ステップ１１２へ移行する。
【００６７】
ステップ１１２では、原稿の向きを判別する。このステップ１１２で、ＳＥＦ、すなわち、短辺が搬送方向先頭となるように原稿が置かれた場合には、ステップ１１４へ移行して、原稿読取機能、ファクシミリ送信機能を電源供給対象として特定し、ステップ１１８へ移行する。
【００６８】
また、このステップ１１２でＬＥＦ、すなわち、長辺が搬送方向先頭となるように原稿が置かれた場合には、ステップ１１６へ移行して、原稿読取機能、画像形成機能、画像複写機能を電源供給対象として特定し、ステップ１１８へ移行する。
【００６９】
ステップ１１８では、特定された処理機能に必要なデバイスへ電源供給のためのサブ電源スイッチ（ＳＷ−１〜ＳＷ−６）を選択し、次いで、ステップ１２０へ移行して、選択されたサブ電源スイッチ（ＳＷ−１〜ＳＷ−６）の切替制御を実行し、このルーチンは終了する。
【００７０】
なお、本実施の形態では、原稿のサイズ、向きに基づいて、処理機能を特定するためのテーブルとして、図５に示されるようなサイズ・向き−処理機能テーブル５０Ａを記憶したが、このサイズ・向き−処理機能テーブル５０Ａは、ＵＩ２１６（図２参照）からの操作によって適宜設定変更が可能である。すなわち、ＵＩ２１６の操作により、テーブル設定変更部５１に変更を指示することで、サイズ・向き−処理機能テーブル記憶部５０にアクセスして、サイズ・向き−処理機能テーブル５０Ａを変更（更新）する。なお、変更操作は、ＵＩ２１６に限定されず、専用の操作盤を設置しておいてもよいし、サービスマンが持参するパソコンとの接続、或いは、ネットワーク通信を利用してもよい。
【００７１】
さらに、サイズ・向き−処理機能テーブル５０Ａの変更（更新）は、ユーザー又はサービスマン等が手動で行ってもよいし、定期的、あるいは不定期に、自動で学習させるようにしてもよい。
【符号の説明】
【００７２】
２０    ネットワーク通信回線網
２２    電話回線網
２４    ベース部
２６    受け台
２８    原稿反転部
３０    ローラ
３２    原稿受取台
３４    光電変換素子
３６    原稿検出センサ
３８    検出センサ制御基板
４０    通電部
４２    センサ信号受付部
３６    原稿検出センサ
４４    信号線
４６    サイズ・向き判別部
４８    処理機能特定部
５０    サイズ・向き−処理機能テーブル記憶部
５０Ａ    サイズ・向き−処理機能テーブル
５２    電源供給先設定部
５４    電源供給信号出力部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２２４    画像読取制御部
２２６    画像形成制御部
２２８    画像複写制御部
２３０    ファクシミリ受信制御部
２３２    ファクシミリ送信制御部
２３４    デバイス選択Ｉ／Ｆ
２３６    ファクシミリ通信制御回路
２３８    画像読取部
２３８Ａ    原稿送り機構
２４０    画像形成部
２４２    商用電源
２４４    入力電源線
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
【図１】
2011188438.tif 000003
【図２】
2011188438.tif 000004
【図３】
2011188438.tif 000005
【図４】
2011188438.tif 000006
【図５】
2011188438.tif 000007
【図６】
2011188438.tif 000008